(57)【特許請求の範囲】
【請求項１】
ズームレンズと、その像側に配置された撮像範囲を制限する視野絞りとを備えたカメラにおいて、
前記ズームレンズが、物体側から順に、正パワーの第１レンズ群と、正パワーの第２レンズ群と、負パワーの第３レンズ群とで構成され、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、
前記第２レンズ群が、負のレンズ群と、前記負のレンズ群よりも像側に配置された正のレンズ群とを含み、
次の条件式を満足することを特徴とするズームレンズを備えたカメラ。
０．８５≦ｆｗ／ｈ≦１．２０
０．４０≦｜ｆ２１／ｈ｜≦１．９０
０．１４≦ｄ２／ｈ≦１．２５
但し、ｆｗは広角端の焦点距離、ｈは最大撮影像高であり、前記視野絞りが任意に可変の場合は取り得る範囲における最大値、ｆ２１は第２レンズ群を構成する負のレンズ群の焦点距離、ｄ２は第２レンズ群の最も物体側のレンズ面から第２レンズ群の最も像面側のレンズ面までの距離である。
【請求項２】
次の条件式を満足することを特徴とする請求項１に記載のズームレンズを備えたカメラ。
０．１５≦｜（ｆ２×ｆ３）／ｈ2｜≦０．７
但し、ｆ２は第２レンズ群の焦点距離、ｆ３は第３レンズ群の焦点距離、ｈは最大撮影像高であり、前記視野絞りが可変の場合は任意に取り得る範囲における最大値である。
【請求項３】
次の条件式を満足することを特徴とする請求項１に記載のズームレンズを備えたカメラ。
０．４≦｜ｆ３／ｈ｜≦０．８５
但し、ｆ３は第３レンズ群の焦点距離、ｈは最大撮影像高であり、前記視野絞りが可変の場合は任意に取り得る範囲における最大値である。
【請求項４】
前記第２レンズ群を構成する前記負のレンズ群が、前記第２レンズ群の最も物体側に配置されていることを特徴とする請求項１に記載のズームレンズを備えたカメラ。
【請求項５】
前記第２レンズ群を構成する前記負のレンズ群が、物体側に凹面を向けた負レンズを最も物体側に有していることを特徴とする請求項１に記載のズームレンズを備えたカメラ。
【請求項６】
次の条件式を満足することを特徴とする請求項１に記載のズームレンズを備えたカメラ。
ｄ２Ｆ／ｄ２≦０．６
但し、ｄ２Ｆは第２レンズ群を構成する負のレンズユニットの最も物体側のレンズ面から第２レンズ群を構成する負のレンズユニットの最も像面側のレンズ面までの距離である。
【請求項７】
前記第２レンズ群を構成する前記負のレンズ群が、１枚の負レンズで構成されていることを特徴とする請求項６に記載のズームレンズを備えたカメラ。
【請求項８】
前記第１レンズ群が、物体側の負のレンズ群と、前記物体側の負のレンズ群よりも像側の正のレンズ群とで構成されていることを特徴とする請求項１乃至７のいずれかに記載のズームレンズを備えたカメラ。
【請求項９】
前記第１レンズ群を構成する前記負のレンズ群が、物体側に凹面を向けたレンズを最も物体側に配置したことを特徴とする請求項８に記載のズームレンズを備えたカメラ。
【請求項１０】
次の条件式を満足することを特徴とする請求項８又は９に記載のズームレンズを備えたカメラ。
０．８≦｜ｆ１１／ｈ｜≦４．５
但し、ｆ１１は第１レンズ群を構成する負のレンズ群の焦点距離、ｈは最大撮影像高であり、前記視野絞りが可変の場合は任意に取り得る範囲における最大値である。
【請求項１１】
次の条件式を満足することを特徴とする請求項１に記載のズームレンズを備えたカメラ。
３．７≦｜ｆ１／ｆ３｜≦１５．０
但し、ｆ１は第１レンズ群の焦点距離、ｆ３は第３レンズ群の焦点距離である。
【請求項１２】
次の条件式を満足することを特徴とする請求項１乃至１１のいずれかに記載のズームレンズを備えたカメラ。
０．０３４≦ｄ１２／ｈ≦０．４５０
０．０３４≦ｄ２３／ｈ≦０．４５０
但し、ｄ１２は広角端における第１レンズ群の最も像面側から第２レンズ群の最も物体側までの間隔、ｄ２３は望遠端における第２レンズ群の最も像面側から第３レンズ群の最も物体側までの間隔である。
【請求項１３】
前記第３レンズ群が、正パワーの屈折面と、前記正パワーの屈折面よりも像側に配置された負レンズとを含むことを特徴とする請求項１に記載のズームレンズを備えたカメラ。
【請求項１４】
次の条件式を満足することを特徴とする請求項１に記載のズームレンズを備えたカメラ。
０．６０≦｜ｆ２１／ｈ｜≦１．３０
【請求項１５】
次の条件式を満足することを特徴とする請求項１に記載のズームレンズを備えたカメラ。
０．２０≦ｄ２／ｈ≦０．８０
【請求項１６】
次の条件式を満足することを特徴とする請求項１に記載のズームレンズを備えたカメラ。
０．４５≦｜ｆ３／ｈ｜≦０．８
但し、ｆ３は第３レンズ群の焦点距離、ｈは最大撮影像高であり、前記視野絞りが可変の場合は任意に取り得る範囲における最大値である。
【請求項１７】
次の条件式を満足することを特徴とする請求項１に記載のズームレンズを備えたカメラ。
３．８≦｜ｆ１／ｆ３｜≦１３．０
但し、ｆ１は第１レンズ群の焦点距離、ｆ３は第３レンズ群の焦点距離である。
【請求項１８】
次の条件式を満足することを特徴とする請求項１に記載のズームレンズを備えたカメラ。
０．２５≦｜（ｆ２×ｆ３）／ｈ2｜≦０．６８
但し、ｆ２は第２レンズ群の焦点距離、ｆ３は第３レンズ群の焦点距離、ｈは最大撮影像高であり、前記視野絞りが可変の場合は任意に取り得る範囲における最大値である。
【請求項１９】
次の条件式を満足することを特徴とする請求項８又は９に記載のズームレンズを備えたカメラ。
０．９５≦｜ｆ１１／ｈ｜≦４．１０
但し、ｆ１１は第１レンズ群を構成する負のレンズ群の焦点距離、ｈは最大撮影像高であり、前記視野絞りが可変の場合は任意に取り得る範囲における最大値である。
【発明の詳細な説明】
【０００１】
【発明の属する技術分野】
本発明は、ズームレンズを備えたカメラに関する。
【０００２】
【従来の技術】
従来より、物体側から順に、正の第１レンズ群、正の第２レンズ群、負の第３レンズ群を有するテレフォトタイプ構成にし各レンズ群を移動させて変倍を行うズームレンズは、全長を短縮できしかも高変倍を達成するのに有効であることが知られている。
【０００３】
そして、この種ズームレンズは、特開２０００−２７５５２４号公報の第１〜第６実施例、特開２０００−３１４８３７号公報の第１〜第５実施例、特開平１０−９０６００号公報の第１〜第４実施例、特開平１１−５２２３２号公報の第１〜第３実施例、特開平５−２６４９０３号公報の第３実施例、特開平８−１７９２１０号公報の第１〜第４実施例、特開平４−１６５３１９号公報の第１〜第５実施例、等に提案されている。
【０００４】
【発明が解決しようとする課題】
しかし、特開２０００−２７５５２４号公報の第１〜第６実施例、特開２０００−３１４８３７号公報の第１〜第５実施例に記載のズームレンズは、比較的小型で変倍比も３倍を上回ってはいるものの、広角端の画角（２ω）が６０°以下であり、狭い場所での集合写真や遠景を広い範囲で撮影しようとした場合、十分な撮影エリアを得ることができないという問題を有していた。
【０００５】
また、特開平１０−９０６００号公報の第１〜第４実施例に記載のズームレンズは、画角が６８〜７０°とやや広めであるものの、まだ十分な広角撮影はできないという問題を有していた。
【０００６】
また、特開平１１−５２２３２号公報の第１〜第３実施例に記載のズームレンズは、変倍比が３倍を上回っており、画角も７４.９°と広めではあるものの、可動群間の群間隔が狭いという問題を有していた。
【０００７】
また、特開平５−２６４９０３号公報の第３実施例に記載のズームレンズは、画角が８２.９°と広く十分な広角撮影が得られるものの、特に第２群の厚さが厚く、カメラの小型化が達成できないという問題を有していた。
【０００８】
また、特開平８−１７９２１０号公報の第１〜第４実施例、特開平４−１６５３１９号公報の第１〜第５実施例に記載のズームレンズは、画角が７３°強とやや広めではあるものの、特開平５−２６４９０３号公報の第３実施例に記載のズームレンズと同様に、第２群の厚みが厚くカメラの小型化を達成できないという問題を有していた。
【０００９】
そこで、本発明は、上記問題点に鑑みて、物体側から順に、正の第１レンズ群と、正の第２レンズ群と、負の第３レンズ群とを有し、各レンズ群を移動させて変倍を行うズームレンズであって、２.５倍を上回るような高変倍化が可能で、また、カメラの小型化に必要なレンズ厚の短縮とレンズ径の小型化を図ることができ、広角端の画角（２ω）が７５°を上回るような広画角においても良好で安定した性能が得られるズームレンズを備えたカメラを提供することを目的とする。また、組み立て誤差による性能劣化も少ないズームレンズを備えたカメラを提供することを目的とする。
【００１０】
【課題を解決するための手段】
上記目的を達成するために、本発明によるズームレンズを備えたカメラは、ズームレンズと、その像側に配置された撮像範囲を制限する視野絞りとを備えたカメラにおいて、前記ズームレンズが、物体側から順に、正パワーの第１レンズ群と、正パワーの第２レンズ群と、負パワーの第３レンズ群とで構成され、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、前記第２レンズ群が、負のレンズ群と、前記負のレンズ群よりも像側に配置された正のレンズ群とを含み、次の条件式（２２），（２），（３）を満足することを特徴とする。
０．８５≦ｆｗ／ｈ≦１．２０                      ・・・（２２）
０．４０≦｜ｆ２１／ｈ｜≦１．９０                ・・・（２）
０．１４≦ｄ２／ｈ≦１．２５                      ・・・（３）
但し、ｆｗは広角端の焦点距離、ｈは最大撮影像高であり、前記視野絞りが任意に可変の場合は取り得る範囲における最大値、ｆ２１は第２レンズ群を構成する負のレンズ群の焦点距離、ｄ２は第２レンズ群の最も物体側のレンズ面から第２レンズ群の最も像面側のレンズ面までの距離である。
【００１１】
また、本発明によるズームレンズを備えたカメラは、次の条件式（８）を満足することが好ましい。
０．１５≦｜（ｆ２×ｆ３）／ｈ2｜≦０．７         ・・・（８）
但し、ｆ２は第２レンズ群の焦点距離、ｆ３は第３レンズ群の焦点距離、ｈは最大撮影像高であり、前記視野絞りが可変の場合は任意に取り得る範囲における最大値である。
また、本発明によるズームレンズを備えたカメラは、次の条件式（４）を満足することが好ましい。
０．４≦｜ｆ３／ｈ｜≦０．８５                    ・・・（４）
但し、ｆ３は第３レンズ群の焦点距離、ｈは最大撮影像高であり、前記視野絞りが可変の場合は任意に取り得る範囲における最大値である。
また、本発明によるズームレンズを備えたカメラは、前記第２レンズ群を構成する前記負のレンズ群が、前記第２レンズ群の最も物体側に配置されていることが好ましい。
また、本発明によるズームレンズを備えたカメラは、前記第２レンズ群を構成する前記負のレンズ群が、物体側に凹面を向けた負レンズを最も物体側に有していることが好ましい。
また、本発明によるズームレンズを備えたカメラは、次の条件式（１３）を満足することが好ましい。
ｄ２Ｆ／ｄ２≦０．６                              ・・・（１３）
但し、ｄ２Ｆは第２レンズ群を構成する負のレンズユニットの最も物体側のレンズ面から第２レンズ群を構成する負のレンズユニットの最も像面側のレンズ面までの距離である。
なお、この場合、前記第２レンズ群を構成する前記負のレンズ群が、１枚の負レンズで構成されているとさらに好ましい。
また、本発明によるズームレンズを備えたカメラは、前記第１レンズ群が、物体側の負のレンズ群と、前記物体側の負のレンズ群よりも像側の正のレンズ群とで構成されていることが好ましい。
なお、この場合、前記第１レンズ群を構成する前記負のレンズ群が、物体側に凹面を向けたレンズを最も物体側に配置されているとさらに好ましい。
また、この場合、次の条件式（１０）を満足することがさらに好ましい。
０．８≦｜ｆ１１／ｈ｜≦４．５                    ・・・（１０）
但し、ｆ１１は第１レンズ群を構成する負のレンズ群の焦点距離、ｈは最大撮影像高であり、前記視野絞りが可変の場合は任意に取り得る範囲における最大値である。
また、本発明によるズームレンズを備えたカメラは、次の条件式（５）を満足することが好ましい。
３．７≦｜ｆ１／ｆ３｜≦１５．０                  ・・・（５）
但し、ｆ１は第１レンズ群の焦点距離、ｆ３は第３レンズ群の焦点距離である。
また、本発明によるズームレンズを備えたカメラは、次の条件式（１１），（１２）を満足することが好ましい。
０．０３４≦ｄ１２／ｈ≦０．４５０                ・・・（１１）
０．０３４≦ｄ２３／ｈ≦０．４５０                ・・・（１２）
但し、ｄ１２は広角端における第１レンズ群の最も像面側から第２レンズ群の最も物体側までの間隔、ｄ２３は望遠端における第２レンズ群の最も像面側から第３レンズ群の最も物体側までの間隔である。
【００１２】
また、本発明によるズームレンズを備えたカメラは、前記第３レンズ群が、正パワーの屈折面と、前記正パワーの屈折面よりも像側に配置された負レンズとを含むことが好ましい。
また、本発明によるズームレンズを備えたカメラは、次の条件式（１５）を満足することが好ましい。
０．６０≦｜ｆ２１／ｈ｜≦１．３０ ・・・（１５）
また、本発明によるズームレンズを備えたカメラは、次の条件式（１６）を満足することが好ましい。
０．２０≦ｄ２／ｈ≦０．８０ ・・・（１６）
また、本発明によるズームレンズを備えたカメラは、次の条件式（１７）を満足することが好ましい。
０．４５≦｜ｆ３／ｈ｜≦０．８ ・・・（１７）
但し、ｆ３は第３レンズ群の焦点距離、ｈは最大撮影像高であり、前記視野絞りが可変の場合は任意に取り得る範囲における最大値である。
また、本発明によるズームレンズを備えたカメラは、次の条件式（１８）を満足することが好ましい。
３．８≦｜ｆ１／ｆ３｜≦１３．０ ・・・（１８）
但し、ｆ１は第１レンズ群の焦点距離、ｆ３は第３レンズ群の焦点距離である。
また、本発明によるズームレンズを備えたカメラは、次の条件式（２１）を満足することが好ましい。
０．２５≦｜（ｆ２×ｆ３）／ｈ2｜≦０．６８  ・・・（２１）
但し、ｆ２は第２レンズ群の焦点距離、ｆ３は第３レンズ群の焦点距離、ｈは最大撮影像高であり、前記視野絞りが可変の場合は任意に取り得る範囲における最大値である。
【００１３】
また、本発明によるズームレンズを備えたカメラは、前記第１レンズ群が、物体側の負のレンズ群と、前記物体側の負のレンズ群よりも像側の正のレンズ群とで構成されている場合、次の条件式（２３）を満足することが好ましい。
０．９５≦｜ｆ１１／ｈ｜≦４．１０ ・・・（２３）
但し、ｆ１１は第１レンズ群を構成する負のレンズ群の焦点距離、ｈは最大撮影像高であり、前記視野絞りが可変の場合は任意に取り得る範囲における最大値である。
【００１５】
【発明の実施の形態】
実施例の説明に先立ち、本発明の作用について説明する。
高変倍比でしかもカメラの小型化を狙うには、テレフォトタイプにより望遠端の全長を短く抑えて高変倍を得る構成が必要である。
そこで、本発明のように、ズームレンズと、その像側に配置された撮像範囲を制限する視野絞りとを備えたカメラにおいて、前記ズームレンズが、物体側から順に、正パワーの第１レンズ群と、正パワーの第２レンズ群と、負パワーの第３レンズ群とで構成され、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように、各レンズ群を物体側に移動させるようにすれば、第２レンズ群と第３レンズ群のパワーを強め、第３レンズ群に高い変倍作用を持たせる構成とすることで、テレフォトタイプで高い変倍比を得ることができる。また、変倍時に発生する非点収差の変動を第１レンズ群と第２レンズ群との間隔を変化させることで、変倍による収差変動を少なく抑えることができる。
【００１６】
また、テレフォトタイプを採用すると、広角端が広角になるほど広角端でのバックフォーカスを確保することが困難になり結果として最終レンズの径が大きくなりカメラの小型化が難しくなる。
そこで、本発明のように、第２レンズ群を、物体側に負のレンズ群と、負のレンズ群の像側に配置された正のレンズ群とで構成すれば、第２レンズ群のパワーを強めても、第２レンズ群の主点をより像側に配置することができ、広角端でのバックフォーカスの確保が容易になり、同時に第２レンズ群で発生する球面収差やコマ収差を小さく抑えることができる。これにより、良好な性能でレンズ径を小さくすることができ、カメラの小型化を達成することができる。
【００１７】
また、本発明のように、上記条件式（２２）の上限を上回らないようにすれば、後ろに下がれないような狭い場所での人物の集合写真や広々とした景色などを広範囲で撮影したい場合に有効な撮影画角を得ることができる。
また、同じ変倍比であっても広角端の焦点距離が短くなるほど望遠端の全長を短くすることができる。
また、条件式（２２）の上限を上回らないようにすれば、２．５倍を上回る変倍比であっても望遠端全長を性能的に無理なく短くすることが可能になり、カメラの小型化を図ることができる。
また、開口絞り径や、レンズ径を小さくすることができるのでカメラの小型化に有効である。
【００１８】
条件式（２２）の下限を下回ると、物体側から順に、正パワーの第１レンズ群と、正パワーの第２レンズ群と、負パワーの第３レンズ群とを含み、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させただけの構成では、性能を維持してバックフォーカスを確保することが困難になる。
【００１９】
上記条件式（２）は、条件式（２２）の範囲において広角端でのバックフォーカスを確保しながら良好な性能を得るための条件式である。
条件式（２）の上限を上回って第２レンズ群を構成する負のレンズ群の焦点距離が長くなると、広角端でのバックフォーカスの確保が困難になりレンズ径が大きくなってカメラの小型化が困難になる。また、この状態でバックフォーカスを確保して２．５倍を上回るような高変倍を得ようとすると、望遠端での第２レンズ群と第３レンズ群との間隔の確保が難しくなり、枠の強度や精度を得ることが難しくなる。
【００２０】
条件式(2)の下限を下回って第２レンズ群を構成する負のレンズ群の焦点距離が短くなると、第２レンズ群を構成する負のレンズ群で発生する球面収差やコマ収差が大きくなり、変倍による収差変動も大きくなるので好ましくない。そして、これら収差を補正する為に第２レンズ群のレンズ枚数が増え、第２レンズ群の全長が長くなりレンズ収納時でのカメラ厚を薄くすることができない。また、この状態で第２レンズ群を薄くして行くと、第２レンズ群内での各レンズのパワーが強くなりレンズの偏心や間隔変化による性能劣化が大きくなるので好ましくない。
【００２１】
上記条件式(3)は、安定した性能でカメラを小型化するための条件式である。条件式(3)の上限を上回って第２レンズ群の全長が長くなると、性能は確保しやすくなるが、第２レンズ群の全長が長くなることで各レンズ群を合わせた全長を短くすることが難しくなりカメラ収納時の厚さを薄くすることができなくなる。
【００２２】
他方、条件式(3)の下限を下回ると、カメラ厚は薄くレンズ枚数も少なくすることが出来るが、第２レンズ群内の各レンズのパワーが強くなりすぎて球面収差やコマ収差を小さく保つことが困難になり、第２レンズ群内での偏心や間隔変化による性能劣化が大きくなるので好ましくない。また、第２レンズ群を経て残存する収差を他のレンズ群で補正する割合が増える為、各レンズ群の偏心による性能劣化も大きくなってしまう。
【００２３】
以上、本発明によれば、広角端の画角（２ω）が７５°を上回り、変倍比が２．５倍を上回るような広角ズームレンズにおいてもレンズ径の小型化とレンズ群の厚さを短くして、カメラの小型化を図ることができると共に良好な性能が得られる。
また、組み立て誤差による性能劣化の少ない安定した性能のズームレンズが得られる。
【００５７】
なお、上記本発明のズームレンズを備えたカメラにおいては、次のような構成要件を加えることが望ましい。
【００５８】
本発明においては、次の条件式（８）を満足するのが好ましい。
０．１５≦｜（ｆ２×ｆ３）／ｈ2｜≦０．７         ・・・（８）
但し、ｆ２は第２レンズ群の焦点距離、ｆ３は第３レンズ群の焦点距離、ｈは最大撮影像高であり、前記視野絞りが任意に可変の場合は取り得る範囲における最大値である。
【００５９】
上記条件式(8)は、性能を良好に保ち、且つ、小型で高変倍を得るための条件式である。
条件式(8)の上限を上回ると、２.５倍を上回るような高変倍を得ようとすると第２レンズ群〜第３レンズ群の移動量が増えて、望遠端での全長が長くなりカメラの小型化が難しくなる。また、望遠端の全長を短くしようとすると、高変倍を得ることが難しくなり、望遠端で性能を維持して第２レンズ群と第３レンズ群との間隔を確保することが難しくなり、枠の強度や精度を得ることが難しくなる。
【００６０】
他方、条件式(8)の下限を下回ると、第２レンズ群、第３レンズ群で発生する収差が大きくなり、主に変倍時の性能変化が大きくなるので好ましくない。また、第２レンズ群、第３レンズ群の偏心による性能劣化が大きくなってしまう。
【００６１】
また、本発明においては、次の条件式（４）を満足するのが好ましい。
０．４≦｜ｆ３／ｈ｜≦０．８５                    ・・・（４）
但し、ｆ３は第３レンズ群の焦点距離、ｈは最大撮影像高であり、前記視野絞りが任意に可変の場合は取り得る範囲における最大値である。
【００６２】
上記条件式(4)は、広角端でのバックフォーカスを確保し、更に性能良好に高変倍を得るための条件式である。
条件式(4)の上限を上回ると、広角端でのバックフォーカスの確保が難しくなり、レンズ径が大きくなると共に、２.５倍を上回るような高変倍を得ようとすると、第３レンズ群の移動量が大きくなりカメラの小型化が難しくなる。
【００６３】
他方、条件式(4)の下限を下回ると、バックフォーカスの確保と小型高変倍は実現しやすくなるが、第３レンズ群での主に球面収差と非点収差の発生が大きくなり、変倍時の性能変動が大きくなり良好な性能が得られない。
【００７２】
また、本発明においては、第２レンズ群の前群である負のレンズ群が第２レンズ群の最も物体側に配置されているのが好ましい。
【００７３】
そのように構成すれば、第２レンズ群を、物体側に負のレンズ群と、負のレンズ群の像側に配置された正のレンズ群とで構成したときの効果をより一層強めることができる。即ち、第２レンズ群のパワーを強めても、第２レンズ群の主点をより一層像側に配置することができ、広角端でのバックフォーカスの確保がより一層容易になり、同時に第２レンズ群で発生する球面収差やコマ収差をより一層小さく抑えることができ、より一層良好な性能でレンズ径を小さくすることができ、カメラの小型化を達成することができる。
【００７４】
また、本発明においては、第２レンズ群を構成する負のレンズ群の最も物体側のレンズが、物体側面が凹面の負レンズであるのが好ましい。
【００７５】
このように構成すれば、広角端でのバックフォーカスの確保がより一層容易になり、第２レンズ群で発生する球面収差やコマ収差を小さく抑えることができる。
【００７６】
また、本発明においては、次の条件式（１３）を満足するのが好ましい。
ｄ２Ｆ／ｄ２≦０．６                              ・・・（１３）
但し、ｄ２Ｆは第２レンズ群を構成する負のレンズ群の最も物体側のレンズ面から第２レンズ群を構成する負のレンズの最も像面側のレンズ面までの距離、ｄ２は第２レンズ群の最も物体側のレンズ面から第２レンズ群の最も像面側のレンズ面までの距離である。
【００７７】
このように、更に条件式（１３）を満足すれば、バックフォーカスを確保しながら第２レンズ群で発生する球面収差とコマ収差の発生をより良好に抑えることができる。また、これにより第２レンズ群を構成する負のレンズ群を負レンズ１枚で構成することも可能になり、レンズ枚数を少なくすることができ、低コスト化することができる。
【００７８】
更には、条件式(13)の下限値を定めて、ｄ２Ｆ／ｄ２が０．０５以上となるように構成するのが好ましい。
条件式(13)の下限値を下回ると、第２レンズ群の全長が大きくなりすぎるか、第２レンズ群を構成する負のレンズ群の光軸上での厚さが小さくなりすぎるため、加工が難しくなる。
【００７９】
また、本発明においては、第１レンズ群の最も物体側は負のレンズ群と、その像面側を正のレンズ群とで構成されているのがカメラを小型化し良好な性能を得る上でより望ましい。
【００８０】
このように構成すれば、広角端のバックフォーカスの確保をより容易にすることができる。
広角端が広画角になるほどバックフォーカスの確保の為、第２レンズ群の主点をより像面側とすることが望ましいが、それにより球面収差・コマ収差の発生は大きくなる。
そこで、このように、第１レンズ群の最も物体側を負のレンズ群とすれば、第２レンズ群への負担を減らすことができ、性能を確保したまま最終レンズの小型化がより一層しやすくなる。
【００８１】
このような構成とした場合は、さらに、第１レンズ群を構成する負のレンズユニットの最も物体側のレンズ面は物体側に凹形状であるのが好ましい。
【００８２】
このように構成すれば、広角端での主点位置をより像面側とすることが容易になり、より広画角の広角端であってもバックフォーカスの確保と性能の確保が可能になる。
また、第１レンズ群を構成する負のレンズ群を負レンズ１枚で構成するとともに、第１レンズ群を構成する正のレンズ群を正レンズ１枚で構成することも可能でこれによりコストダウンと第１レンズ群の薄型化によるカメラの小型化を実現することができる。
【００８３】
また、これらのような構成とした場合においては、次の条件式（１０）を満足するのが好ましい。
０．８≦｜ｆ１１／ｈ｜≦４．５                    ・・・（１０）
但し、ｆ１１は第１レンズ群を構成するの負レンズ群の焦点距離、ｈは最大撮影像高であり、前記視野絞りが任意に可変の場合は取り得る範囲における最大値である。
【００８４】
上記条件式(10)は、良好な性能で広角端でのバックフォーカスの確保をより容易にする為の条件式である。
条件式(10)の上限を上回ると、バックフォーカスの確保の為に、第２レンズ群の負担が大きくなり、良好な性能を得る上で好ましくない。
他方、条件式(10)の下限を下回ると、バックフォーカスは確保しやすくなるが、第１レンズ群を構成する負のレンズ群で発生する収差が大きくなり変倍時の性能劣化が大きくなる。または、これを防ぐ為に、第１レンズ群のレンズ枚数が増えてしまい低コスト化とカメラの小型化が難しくなる。
【００８５】
また、本発明においては、次の条件式（５）を満足するのが好ましい。
３．７≦｜ｆ１／ｆ３｜≦１５．０                  ・・・（５）
但し、ｆ１は第１レンズ群の焦点距離、ｆ３は第３レンズ群の焦点距離である。
上記条件式（５）は、望遠端での全長短縮と、広角端でのバックフォーカスを確保する為の条件式である。
条件式（５）の上限を上回ると、広角端でのバックフォーカスの確保はし易くなるが、望遠端での全長が長くなりカメラの小型化が難しくなる。
他方、条件式（５）の下限を下回ると、望遠端での全長は短くし易いが、広角端でのバックフォーカスの確保が難しくなりレンズ径が大きくなることでカメラの小型化が難しくなる。
【００８６】
また、本発明においては、次の条件式（１１），（１２）を満足するのが好ましい。
０．０３４≦ｄ１２／ｈ≦０．４５０                ・・・（１１）
０．０３４≦ｄ２３／ｈ≦０．４５０                ・・・（１２）
但し、ｄ１２は広角端における第１レンズ群の最も像面側から第２レンズ群の最も物体側までの間隔、ｈは最大撮影像高であり、前記視野絞りが任意に可変の場合は取り得る範囲における最大値、ｄ２３は望遠端における第２レンズ群の最も像面側から第３レンズ群の最も物体側までの間隔である。
【００８７】
上記条件式(11)及び(12)は、間隔を適切に取り無理の無い枠構成とする為の条件式である。
条件式(11)の上限を上回るか又は(12)の上限を上回ると、各レンズ群の間隔が広がりすぎレンズ全長が長くなると共にレンズ径が大きくなりカメラの小型化が難しくなる。
他方、条件式(11)の下限を下回るか又は(12)の下限を下回ると、各レンズ群の間隔が狭くなりすぎ、各レンズ群の間が干渉しないように枠を構成することが難しく、枠の強度や精度を保つことが難しくなり、安定した性能のカメラを得ることが難しくなる。
【００８８】
また、本発明においては、第３レンズ群が正パワーの屈折面と、負レンズとを有するのが好ましい。
【００８９】
このように、第３レンズ群を正パワーの屈折面と、その像面側に負レンズとを有する構成とすれば、上記条件式を満たす望遠端においてもバックフォーカスを確保し、且つ、変倍による非点収差の変動を小さく抑えることができる共に球面収差を良好に補正でき高変倍化が可能になる。また、第３レンズ群のパワーを強めた場合の第３レンズ群での収差発生を抑えることができるので、望遠端で全長をより短くして、カメラを小型化することが可能となると共に偏心による性能劣化も少なくすることができる。
また、これにより第２レンズ群と第３レンズ群のパワーを強めて、第３レンズ群に高い変倍作用を持たせることが容易になり、小型で２．５倍を上回るような高変倍を実現し、且つ、各レンズ群の間隔を確保することが容易になり、枠の強度や精度を得ることも容易になる。
【００９０】
さらに、上記各発明においては、条件式（２）の代わりに次の条件式（１５）を、条件式（３）の代わりに次の条件式（１６）を、条件式（４）の代わりに次の条件式（１７）を、条件式（５）の代わりに次の条件式（１８）を、条件式（８）の代わりに次の条件式（２１）を、条件式（１０）の代わりに次の条件式（２３）をそれぞれ満足するようにすると、それぞれ上記条件式（２）〜（５），（８），（１０）を満足した場合の効果を更に高めることができるので好ましい。
【００９１】
０．６０≦｜ｆ２１／ｈ｜≦１．３０                ・・・（１５）
０．２０≦ｄ２／ｈ≦０．８０                      ・・・（１６）
０．４５≦｜ｆ３／ｈ｜≦０．８                    ・・・（１７）
３．８≦｜ｆ１／ｆ３｜≦１３．０                  ・・・（１８）
０．２５≦｜ｆ２×ｆ３／ｈ2｜≦０．６８           ・・・（２１）
０．９５≦｜ｆ１１／ｈ｜≦４．１０                ・・・（２３）
但し、ｈは最大撮影像高であり、前記視野絞りが任意に可変の場合は取り得る範囲における最大値、ｆ２１は第２レンズ群を構成する負のレンズ群の焦点距離、ｄ２は第２レンズ群の最も物体側のレンズ面から第２レンズ群の最も像面側のレンズ面までの距離、ｆ３は第３レンズ群の焦点距離、ｆ１は第１レンズ群の焦点距離、ｆ２は第２レンズ群の焦点距離、ｆ１１は第１レンズ群を構成する負のレンズ群の焦点距離である。
【００９２】
なお、上記本発明において用いられる上記条件式（２）〜（５），（８），（１０）の全てについて、夫々個別に上記条件式（１５）〜（１８），（２１），（２３）に置きかえても、複数の条件式を同時に置きかえてもよい。
また、上記条件式（２）〜（５），（８），（１０）について、対応する上記条件式（１５）〜（１８），（２１），（２３）のいずれかの上限のみを置きかえてもよい。また、逆に、対応する上記条件式（１５）〜（１８），（２１），（２３）のいずれかの下限のみを置きかえてもよい。いずれの場合においても、上記各条件式（２）〜（５），（８），（１０）の効果を高めることができる。
なお、後述の実施例における上記各条件式の対応値は、夫々本発明において用いられる上記各条件式の上限値、または下限値として設定できる。例えば、任意の条件式について、各実施例中における条件式対応値の最大値を上限値としてよく、逆に、最小値を下限値としてもよい。
さらに、本発明においては、上記条件式（１８）の下限値を４．５にするのがより好ましい。
【００９３】
【実施例】
次に、本発明の実施例を図面を用いて説明する。
第１実施例
図１は本発明によるズームレンズを備えたカメラの第１実施例にかかるズームレンズのレンズ構成を示す光軸に沿う断面図であり、(a)は広角端、(b)は中間、(c)は望遠端での状態を示している。図２は第１実施例における球面収差、非点収差、歪曲収差、倍率色収差を示す図であり、(a)は広角端、(b)は中間、(c)は望遠端での状態を示している。
第１実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図１中、Ｌ１〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、物体側に凹面を向けた負メニスカスレンズＬ１と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ４〜Ｌ６で構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【００９４】
次に、第１実施例にかかるズームレンズを備えたカメラにかかるズームレンズを構成している光学部材の数値データを示す。第１実施例の数値データにおいて、ｒ1、ｒ2、…は各レンズ面の曲率半径、ｄ1、ｄ2、…は各レンズの肉厚または空気間隔、ｎd1、ｎd2、…は各レンズのｄ線での屈折率、νd1、νd2、…は各レンズのアッべ数、ＦＮＯ．はＦナンバー、ωは半画角、ＦＢはバックフォーカスを表している。
なお、非球面形状は、光軸方向をｚ、光軸に直交する方向をｙにとり、円錐係数をＫ、非球面係数をＡ4、Ａ6、Ａ8、Ａ10、Ａ12、Ａ14、Ａ16、Ａ18、Ａ20としたとき、次の式で表される。
0004108960.tif 000002
なお、これらの記号は後述の実施例の数値データにおいても共通である。
【００９５】
0004108960.tif 000003
0004108960.tif 000004
【００９６】
0004108960.tif 000005
【００９７】
0004108960.tif 000006
【００９８】
第２実施例
図３は本発明によるズームレンズを備えたカメラの第２実施例にかかるズームレンズのレンズ構成を示す光軸に沿う断面図であり、(a)は広角端、(b)は中間、(c)は望遠端での状態を示している。図４は第２実施例における球面収差、非点収差、歪曲収差、倍率色収差を示す図であり、(a)は広角端、(b)は中間、(c)は望遠端での状態を示している。
第２実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図３中、Ｌ１〜Ｌ３、Ｌ５〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、物体側に凹面を向けた負メニスカスレンズＬ１と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ５とレンズＬ６とで構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【００９９】
次に、第２実施例にかかるズームレンズを備えたカメラにかかるズームレンズを構成している光学部材の数値データを示す。
0004108960.tif 000007
0004108960.tif 000008
【０１００】
0004108960.tif 000009
【０１０１】
0004108960.tif 000010
【０１０２】
第３実施例
図５は本発明によるズームレンズを備えたカメラの第３実施例にかかるズームレンズのレンズ構成を示す光軸に沿う断面図であり、(a)は広角端、(b)は中間、(c)は望遠端での状態を示している。図６は第３実施例における球面収差、非点収差、歪曲収差、倍率色収差を示す図であり、(a)は広角端、(b)は中間、(c)は望遠端での状態を示している。
第３実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図５中、Ｌ１〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、物体側に凹面を向けた負メニスカスレンズＬ１と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ４〜Ｌ６で構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【０１０３】
次に、第３実施例にかかるズームレンズを備えたカメラにかかるズームレンズを構成している光学部材の数値データを示す。
0004108960.tif 000011
0004108960.tif 000012
【０１０４】
0004108960.tif 000013
【０１０５】
0004108960.tif 000014
【０１０６】
第４実施例
図７は本発明によるズームレンズを備えたカメラの第４実施例にかかるズームレンズのレンズ構成を示す光軸に沿う断面図であり、(a)は広角端、(b)は中間、(c)は望遠端での状態を示している。図８は第４実施例における球面収差、非点収差、歪曲収差、倍率色収差を示す図であり、(a)は広角端、(b)は中間、(c)は望遠端での状態を示している。
第４実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図７中、Ｌ１〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、物体側に凹面を向けた負メニスカスレンズＬ１と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ４〜Ｌ６で構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【０１０７】
次に、第４実施例にかかるズームレンズを備えたカメラにかかるズームレンズを構成している光学部材の数値データを示す。
0004108960.tif 000015
0004108960.tif 000016
【０１０８】
0004108960.tif 000017
【０１０９】
0004108960.tif 000018
【０１１０】
第５実施例
図９は本発明によるズームレンズを備えたカメラの第５実施例にかかるズームレンズのレンズ構成を示す光軸に沿う断面図であり、(a)は広角端、(b)は中間、(c)は望遠端での状態を示している。図１０は第５実施例における球面収差、非点収差、歪曲収差、倍率色収差を示す図であり、(a)は広角端、(b)は中間、(c)は望遠端での状態を示している。
第５実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図９中、Ｌ１’、Ｌ２、Ｌ３、Ｌ５〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、両凹負レンズＬ１’と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ５とレンズＬ６とで構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【０１１１】
次に、第５実施例にかかるズームレンズを備えたカメラにかかるズームレンズを構成している光学部材の数値データを示す。
0004108960.tif 000019
0004108960.tif 000020
【０１１２】
0004108960.tif 000021
【０１１３】
0004108960.tif 000022
【０１１４】
第６実施例
図１１は本発明によるズームレンズを備えたカメラの第６実施例にかかるズームレンズのレンズ構成を示す光軸に沿う断面図であり、(a)は広角端、(b)は中間、(c)は望遠端での状態を示している。図１２は第６実施例における球面収差、非点収差、歪曲収差、倍率色収差を示す図であり、(a)は広角端、(b)は中間、(c)は望遠端での状態を示している。
第６実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図１１中、Ｌ１〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、物体側に凹面を向けた負メニスカスレンズＬ１と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ４〜Ｌ６で構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【０１１５】
次に、第６実施例にかかるズームレンズを備えたカメラにかかるズームレンズを構成している光学部材の数値データを示す。
0004108960.tif 000023
0004108960.tif 000024
【０１１６】
0004108960.tif 000025
【０１１７】
0004108960.tif 000026
【０１１８】
第７実施例
図１３は本発明によるズームレンズを備えたカメラの第７実施例にかかるズームレンズのレンズ構成を示す光軸に沿う断面図であり、(a)は広角端、(b)は中間、(c)は望遠端での状態を示している。図１４は第７実施例における球面収差、非点収差、歪曲収差、倍率色収差を示す図であり、(a)は広角端、(b)は中間、(c)は望遠端での状態を示している。
第２実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図１３中、Ｌ１〜Ｌ３、Ｌ５〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、物体側に凹面を向けた負メニスカスレンズＬ１と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ５とレンズＬ６とで構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【０１１９】
次に、第７実施例にかかるズームレンズを備えたカメラにかかるズームレンズを構成している光学部材の数値データを示す。
0004108960.tif 000027
0004108960.tif 000028
【０１２０】
0004108960.tif 000029
【０１２１】
0004108960.tif 000030
【０１２２】
第８実施例
図１５は本発明によるズームレンズを備えたカメラの第８実施例にかかるズームレンズのレンズ構成を示す光軸に沿う断面図であり、(a)は広角端、(b)は中間、(c)は望遠端での状態を示している。図１６は第８実施例における球面収差、非点収差、歪曲収差、倍率色収差を示す図であり、(a)は広角端、(b)は中間、(c)は望遠端での状態を示している。
第８実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図１５中、Ｌ１’、Ｌ２〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、両凹負レンズＬ１’と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ５とレンズＬ６とで構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【０１２３】
次に、第８実施例にかかるズームレンズを備えたカメラにかかるズームレンズを構成している光学部材の数値データを示す。
0004108960.tif 000031
0004108960.tif 000032
【０１２４】
0004108960.tif 000033
【０１２５】
0004108960.tif 000034
【０１２６】
第９実施例
図１７は本発明によるズームレンズを備えたカメラの第９実施例にかかるズームレンズのレンズ構成を示す光軸に沿う断面図であり、(a)は広角端、(b)は中間、(c)は望遠端での状態を示している。図１８は第９実施例における球面収差、非点収差、歪曲収差、倍率色収差を示す図であり、(a)は広角端、(b)は中間、(c)は望遠端での状態を示している。
第２実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図１７中、Ｌ１〜Ｌ３、Ｌ５〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、物体側に凹面を向けた負メニスカスレンズＬ１と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ５とレンズＬ６とで構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【０１２７】
次に、第９実施例にかかるズームレンズを備えたカメラにかかるズームレンズを構成している光学部材の数値データを示す。
0004108960.tif 000035
0004108960.tif 000036
【０１２８】
0004108960.tif 000037
【０１２９】
0004108960.tif 000038
【０１３０】
第１０実施例
図１９は本発明によるズームレンズを備えたカメラの第１０実施例にかかるズームレンズのレンズ構成を示す光軸に沿う断面図であり、(a)は広角端、(b)は中間、(c)は望遠端での状態を示している。図２０は第１０実施例における球面収差、非点収差、歪曲収差、倍率色収差を示す図であり、(a)は広角端、(b)は中間、(c)は望遠端での状態を示している。
第１０実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図１９中、Ｌ１〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、物体側に凹面を向けた負メニスカスレンズＬ１と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ４〜Ｌ６で構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【０１３１】
次に、第１０実施例にかかるズームレンズを備えたカメラにかかるズームレンズを構成している光学部材の数値データを示す。
0004108960.tif 000039
0004108960.tif 000040
【０１３２】
0004108960.tif 000041
【０１３３】
0004108960.tif 000042
【０１３４】
第１１実施例
図２１は本発明によるズームレンズを備えたカメラの第１１実施例にかかるズームレンズのレンズ構成を示す光軸に沿う断面図であり、(a)は広角端、(b)は中間、(c)は望遠端での状態を示している。図２２は第１１実施例における球面収差、非点収差、歪曲収差、倍率色収差を示す図であり、(a)は広角端、(b)は中間、(c)は望遠端での状態を示している。
第１１実施例のズームレンズを備えたカメラは、ズームレンズが、物体側から順に、正パワーの第１レンズ群Ｇ１と、正パワーの第２レンズ群Ｇ２と、負パワーの第３レンズ群Ｇ３とで構成されている。なお、図１中、Ｌ１〜Ｌ８はレンズ、Ｓは開口絞りである。
ズームレンズは、広角端から望遠端への変倍に際し、広角端よりも望遠端の方が第１レンズ群Ｇ１と第２レンズ群Ｇ２との間隔が広がり、且つ、広角端よりも望遠端の方が第２レンズ群Ｇ２と第３レンズ群Ｇ３との間隔が狭まるように、各レンズ群Ｇ１〜Ｇ３が物体側へ移動するようになっている。
第１レンズ群Ｇ１は、物体側から順に、物体側に凹面を向けた負メニスカスレンズＬ１と両凸正レンズＬ２とで構成されている。
また、第２レンズ群Ｇ２は、負のレンズ群Ｇ２Ｆと、正のレンズ群Ｇ２Ｒとで構成されている。
負のレンズ群Ｇ２Ｆは、第２レンズ群Ｇ２の最も物体側に配置されている。また、負のレンズ群Ｇ２Ｆは、物体側に凹面を向けた１枚の負メニスカスレンズＬ３で構成されている。
正のレンズ群Ｇ２Ｒは、レンズＬ４〜Ｌ６で構成され、負のレンズ群Ｇ２Ｆよりも像側に配置されている。
第３レンズ群Ｇ３は、正パワーの屈折面を有する正メニスカスレンズＬ７と、負メニスカスレンズＬ８とで構成されている。
負メニスカスレンズＬ８は、正メニスカスレンズＬ７よりも像側に配置されている。
【０１３５】
次に、第１１実施例にかかるズームレンズを備えたカメラにかかるズームレンズを構成している光学部材の数値データを示す。
0004108960.tif 000043
0004108960.tif 000044
【０１３６】
0004108960.tif 000045
【０１３７】
0004108960.tif 000046
【０１３８】
次に各実施例の条件式パラメータの値及び条件式の値を次の表１〜表４に示す。
【０１３９】
【表１】
0004108960.tif 000047
【０１４０】
【表２】
0004108960.tif 000048
【０１４１】
【表３】
0004108960.tif 000049
【０１４２】
【表４】
0004108960.tif 000050
【０１４３】
以上説明した本発明のズームレンズを備えたカメラは、図２３に斜視図で、図２４に断面図でそれぞれ示したような構成の撮影用対物レンズａを備えたコンパクトカメラとして用いられる。図２４中、Ｇ１は正パワーの第１レンズ群、Ｇ２は正パワーの第２レンズ群、Ｇ３は負パワーの第３レンズ群を示しており、第１レンズ群Ｇ１〜第３レンズ群Ｇ３でもって、上記実施例で説明したようなズームレンズが構成されている。また、Ｌｂは撮影用光路、Ｌｅはファインダー用光路を示しており、撮影用光路Ｌｂとファインダー用光路Ｌｅは平行に並んでおり、被写体の像は、ファインダー用対物レンズ、像正立プリズム、絞り、及び接眼レンズからなるファインダーにより観察され、また、撮影用対物レンズａによりフィルム上に結像される。
ここで、フィルム直前には、図２５に示すような撮影範囲を規定する矩形の開口を持つ視野絞りが配置されている。そして、この視野絞りの対角長が２ｈである。
【０１４４】
また、フィルムの代わりに、ＣＣＤ等の電子撮像素子を用いて構成されるコンパクトな電子カメラの撮影用対物レンズとして本発明のズーム光学系を用いることができる。その場合、電子撮像素子へ入射する軸上、及び軸外の主光線がほぼ垂直となるように、電子撮像素子の撮像面の直前に正レンズを配置してもよい。
この場合は、電子撮像素子の最大有効撮像範囲の対角長が２ｈである。
【０１４５】
以上説明したように、本発明のズームレンズを備えたカメラは、特許請求の範囲に記載された発明の他に、次に示すような特徴も備えている。
【０１９０】
（１）ズームレンズと、その像側に配置された撮像範囲を制限する視野絞りとを備えたカメラにおいて、前記ズームレンズが、物体側から順に、正パワーの第１レンズ群と、正パワーの第２レンズ群と、負パワーの第３レンズ群とを含み、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、前記第２レンズ群が、負のレンズ群と、前記負のレンズ群よりも像側に設けられた正のレンズ群とを含み、次の条件式を満足することを特徴とするズームレンズを備えたカメラ。
０．４≦｜ｆ３／ｈ｜≦０．８５
４．５≦｜ｆ１／ｆ３｜≦１３．０
０．１４≦ｄ２／ｈ≦０．８１
０．４０≦｜ｆ２１／ｈ｜≦１．４０
但し、ｆ３は第３レンズ群の焦点距離、ｈは最大撮影像高であり、前記視野絞りが任意に可変の場合は取り得る範囲における最大値、ｆ１は第１レンズ群の焦点距離、ｄ２は第２レンズ群の最も物体側のレンズ面から第２レンズ群の最も像面側のレンズ面までの距離、ｆ２１は第２レンズ群を構成する負のレンズ群の焦点距離である。
【０１９１】
（２）前記ズームレンズが、物体側から順に、前記正パワーの第１レンズ群と、前記正パワーの第２レンズ群と、前記負パワーの第３レンズ群とで構成されていることを特徴とする上記（１）に記載のズームレンズを備えたカメラ。
【０１９２】
（３）ズームレンズと、その像側に配置された撮像範囲を制限する視野絞りとを備えたカメラにおいて、前記ズームレンズが、物体側から順に、正パワーの第１レンズ群と、正パワーの第２レンズ群と、負パワーの第３レンズ群とを含み、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、前記第２レンズ群が、負のレンズ群と、前記負のレンズ群よりも像側に配置された正のレンズ群とを含み、次の条件式を満足することを特徴とするズームレンズを備えたカメラ。
０．４≦｜ｆ３／ｈ｜≦０．８５
４．５≦｜ｆ１／ｆ３｜≦１３．０
０．１４≦ｄ２／ｈ≦０．８１
０．１５≦｜（ｆ２×ｆ３）／ｈ2｜≦０．７
但し、ｆ３は第３レンズ群の焦点距離、ｈは最大撮影像高であり、前記視野絞りが任意に可変の場合は取り得る範囲における最大値、ｆ１は第１レンズ群の焦点距離、ｄ２は第２レンズ群の最も物体側のレンズ面から第２レンズ群の最も像面側のレンズ面までの距離、ｆ２は第２レンズ群の焦点距離である。
【０１９３】
（４）前記ズームレンズが、物体側から順に、前記正パワーの第１レンズ群と、前記正パワーの第２レンズ群と、前記負パワーの第３レンズ群とで構成されていることを特徴とする上記（３）に記載のズームレンズを備えたカメラ。
【０１９４】
（５）次の条件式を満足することを特徴とする請求項１に記載のズームレンズを備えたカメラ。
３．８≦｜ｆ１／ｆ３｜≦１３．０
但し、ｆ１は第１レンズ群の焦点距離、ｆ３は第３レンズ群の焦点距離である。
【０１９５】
（６）ズームレンズと、その像側に配置された撮像範囲を制限する視野絞りとを備えたカメラにおいて、前記ズームレンズが、物体側から順に、正パワーの第１レンズ群と、正パワーの第２レンズ群と、負パワーの第３レンズ群とを含み、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、前記第２レンズ群が、負のレンズ群と、前記負のレンズ群よりも像側に設けられた正のレンズ群とを含み、次の条件式を満足することを特徴とするズームレンズを備えたカメラ。
０．４≦｜ｆ３／ｈ｜≦０．８５
３．７≦｜ｆ１／ｆ３｜≦１５．０
０．２０≦ｄ２／ｈ≦０．７５
０．４０≦｜ｆ２１／ｈ｜≦１．４０
但し、ｆ３は第３レンズ群の焦点距離、ｈは最大撮影像高であり、前記視野絞りが任意に可変の場合は取り得る範囲における最大値、ｆ１は第１レンズ群の焦点距離、ｄ２は第２レンズ群の最も物体側のレンズ面から第２レンズ群の最も像面側のレンズ面までの距離、ｆ２１は第２レンズ群を構成する負のレンズ群の焦点距離である。
【０１９６】
（７）前記ズームレンズが、物体側から順に、前記正パワーの第１レンズ群と、前記正パワーの第２レンズ群と、前記負パワーの第３レンズ群とで構成されていることを特徴とする上記（６）に記載のズームレンズを備えたカメラ。
【０１９７】
（８）ズームレンズと、その像側に配置された撮像範囲を制限する視野絞りとを備えたカメラにおいて、前記ズームレンズが、物体側から順に、正パワーの第１レンズ群と、正パワーの第２レンズ群と、負パワーの第３レンズ群とを含み、広角端から望遠端への変倍に際し、広角端よりも望遠端の方が前記第１レンズ群と前記第２レンズ群との間隔が広がり、且つ、広角端よりも望遠端の方が前記第２レンズ群と前記第３レンズ群との間隔が狭まるように各レンズ群を物体側に移動させ、前記第２レンズ群が、負のレンズ群と、前記負のレンズ群よりも像側に配置された正のレンズ群とを含み、次の条件式を満足することを特徴とするズームレンズを備えたカメラ。
０．４≦｜ｆ３／ｈ｜≦０．８５
３．７≦｜ｆ１／ｆ３｜≦１５．０
０．２０≦ｄ２／ｈ≦０．７５
０．１５≦｜（ｆ２×ｆ３）／ｈ2｜≦０．７
但し、ｆ３は第３レンズ群の焦点距離、ｈは最大撮影像高であり、前記視野絞りが任意に可変の場合は取り得る範囲における最大値、ｆ１は第１レンズ群の焦点距離、ｄ２は第２レンズ群の最も物体側のレンズ面から第２レンズ群の最も像面側のレンズ面までの距離、ｆ２は第２レンズ群の焦点距離である。
【０１９８】
（９）前記ズームレンズが、物体側から順に、前記正パワーの第１レンズ群と、前記正パワーの第２レンズ群と、前記負パワーの第３レンズ群とで構成されていることを特徴とする上記（８）に記載のズームレンズを備えたカメラ。
【０２０９】
【発明の効果】
以上のように本発明によれば、レンズ全長の短縮とレンズ径の縮小により光学系の小型化を達成し、かつ、ズーム全域で良好な結像性能のズームレンズを備えたカメラが得られる。また、組み立て誤差による性能劣化も少なく安定した性能のズームレンズを備えたカメラが得られる。
【図面の簡単な説明】
【図１】本発明によるズームレンズを備えたカメラの第１実施例にかかるズームレンズのレンズ構成を示す光軸に沿う断面図であり、(a)は広角端、(b)は中間、(c)は望遠端での状態を示している。
【図２】第１実施例における球面収差、非点収差、歪曲収差、倍率色収差を示す図であり、(a)は広角端、(b)は中間、(c)は望遠端での状態を示している。
【図３】本発明によるズームレンズを備えたカメラの第２実施例にかかるズームレンズのレンズ構成を示す光軸に沿う断面図であり、(a)は広角端、(b)は中間、(c)は望遠端での状態を示している。
【図４】第２実施例における球面収差、非点収差、歪曲収差、倍率色収差を示す図であり、(a)は広角端、(b)は中間、(c)は望遠端での状態を示している。
【図５】本発明によるズームレンズを備えたカメラの第３実施例にかかるズームレンズのレンズ構成を示す光軸に沿う断面図であり、(a)は広角端、(b)は中間、(c)は望遠端での状態を示している。
【図６】第３実施例における球面収差、非点収差、歪曲収差、倍率色収差を示す図であり、(a)は広角端、(b)は中間、(c)は望遠端での状態を示している。
【図７】本発明によるズームレンズを備えたカメラの第４実施例にかかるズームレンズのレンズ構成を示す光軸に沿う断面図であり、(a)は広角端、(b)は中間、(c)は望遠端での状態を示している。
【図８】第４実施例における球面収差、非点収差、歪曲収差、倍率色収差を示す図であり、(a)は広角端、(b)は中間、(c)は望遠端での状態を示している。
【図９】本発明によるズームレンズを備えたカメラの第５実施例にかかるズームレンズのレンズ構成を示す光軸に沿う断面図であり、(a)は広角端、(b)は中間、(c)は望遠端での状態を示している。
【図１０】第５実施例における球面収差、非点収差、歪曲収差、倍率色収差を示す図であり、(a)は広角端、(b)は中間、(c)は望遠端での状態を示している。
【図１１】本発明によるズームレンズを備えたカメラの第６実施例にかかるズームレンズのレンズ構成を示す光軸に沿う断面図であり、(a)は広角端、(b)は中間、(c)は望遠端での状態を示している。
【図１２】第６実施例における球面収差、非点収差、歪曲収差、倍率色収差を示す図であり、(a)は広角端、(b)は中間、(c)は望遠端での状態を示している。
【図１３】本発明によるズームレンズを備えたカメラの第７実施例にかかるズームレンズのレンズ構成を示す光軸に沿う断面図であり、(a)は広角端、(b)は中間、(c)は望遠端での状態を示している。
【図１４】第７実施例における球面収差、非点収差、歪曲収差、倍率色収差を示す図であり、(a)は広角端、(b)は中間、(c)は望遠端での状態を示している。
【図１５】本発明によるズームレンズを備えたカメラの第８実施例にかかるズームレンズのレンズ構成を示す光軸に沿う断面図であり、(a)は広角端、(b)は中間、(c)は望遠端での状態を示している。
【図１６】第８実施例における球面収差、非点収差、歪曲収差、倍率色収差を示す図であり、(a)は広角端、(b)は中間、(c)は望遠端での状態を示している。
【図１７】本発明によるズームレンズを備えたカメラの第９実施例にかかるズームレンズのレンズ構成を示す光軸に沿う断面図であり、(a)は広角端、(b)は中間、(c)は望遠端での状態を示している。
【図１８】第９実施例における球面収差、非点収差、歪曲収差、倍率色収差を示す図であり、(a)は広角端、(b)は中間、(c)は望遠端での状態を示している。
【図１９】本発明によるズームレンズを備えたカメラの第１０実施例にかかるズームレンズのレンズ構成を示す光軸に沿う断面図であり、(a)は広角端、(b)は中間、(c)は望遠端での状態を示している。
【図２０】第１０実施例における球面収差、非点収差、歪曲収差、倍率色収差を示す図であり、(a)は広角端、(b)は中間、(c)は望遠端での状態を示している。
【図２１】本発明によるズームレンズを備えたカメラの第１１実施例にかかるズームレンズのレンズ構成を示す光軸に沿う断面図であり、(a)は広角端、(b)は中間、(c)は望遠端での状態を示している。
【図２２】第１１実施例における球面収差、非点収差、歪曲収差、倍率色収差を示す図であり、(a)は広角端、(b)は中間、(c)は望遠端での状態を示している。
【図２３】本発明のズームレンズを用いたカメラの一例を示す概略斜視図である。
【図２４】図２３のカメラ内部の概略構成を示す断面図である。
【図２５】図２４のカメラの枠の対角長を示す説明図である。
【符号の説明】
ａ            コンパクトカメラ用対物レンズ
Ｇ１          第１レンズ群
Ｇ２          第２レンズ群
Ｇ３          第３レンズ群
Ｇ２Ｆ        負のレンズ群
Ｇ２Ｒ        正のレンズ群
Ｌ１，Ｌ３          物体側に凹面を向けた負メニスカスレンズ
Ｌ１’        両凹負レンズ
Ｌ２          両凸正レンズ
Ｌ４，Ｌ５，Ｌ６          レンズ
Ｌ７          正メニスカスレンズ
Ｌ８          負メニスカスレンズ
Ｌｂ          撮影用光路
Ｌｅ          ファインダー用光路
Ｓ            開口絞り
【図１】
0004108960.tif 000051
【図２】
0004108960.tif 000052
【図３】
0004108960.tif 000053
【図４】
0004108960.tif 000054
【図５】
0004108960.tif 000055
【図６】
0004108960.tif 000056
【図７】
0004108960.tif 000057
【図８】
0004108960.tif 000058
【図９】
0004108960.tif 000059
【図１０】
0004108960.tif 000060
【図１１】
0004108960.tif 000061
【図１２】
0004108960.tif 000062
【図１３】
0004108960.tif 000063
【図１４】
0004108960.tif 000064
【図１５】
0004108960.tif 000065
【図１６】
0004108960.tif 000066
【図１７】
0004108960.tif 000067
【図１８】
0004108960.tif 000068
【図１９】
0004108960.tif 000069
【図２０】
0004108960.tif 000070
【図２１】
0004108960.tif 000071
【図２２】
0004108960.tif 000072
【図２３】
0004108960.tif 000073
【図２４】
0004108960.tif 000074
【図２５】
0004108960.tif 000075